(57)【特許請求の範囲】
【請求項１】
第１計測値を表示する第１表示モードを含む複数の表示モードを備える電子時計であって、
第１指針を有し、前記複数の表示モードのうち１つの表示モードを前記第１指針で表示する第１表示部と、
第２指針を有し、前記第１表示部の表示する表示モードが前記第１表示モードである場合、前記第１計測値の変化を前記第２指針で表示する第２表示部と、
第３指針を有し、前記第１表示部の表示する表示モードが前記第１表示モードである場合、前記第１計測値を前記第３指針で表示する第３表示部と、
時針と分針とを有し、前記表示モードに関わらず前記時針と前記分針とを用いて時刻を表示する時刻表示部と、
を含み、
前記時刻表示部は、第４指針を含み、
前記第３表示部は、前記第１表示部の表示する表示モードが前記第１表示モードである場合、前記第１計測値のうち所定の桁以上の桁の数値を前記第３指針で表示し、
前記第４指針は、前記第１表示部の表示する表示モードが前記第１表示モードである場合、前記第１計測値のうち前記所定の桁未満の桁の数値を表示し、
前記第４指針は、前記第１指針、前記第２指針および前記第３指針よりも長い、
ことを特徴とする電子時計。
【請求項２】
前記第１計測値の変化は、前回の前記第１計測値と今回の前記第１計測値との比較結果であることを特徴とする請求項１に記載の電子時計。
【請求項３】
前記第１計測値の変化は、前回の前記第１計測値に対する今回の前記第１計測値の割合であることを特徴とする請求項１に記載の電子時計。
【請求項４】
第１計測値を表示する第１表示モードを含む複数の表示モードを備える電子時計であって、
第１指針を有し、前記複数の表示モードのうち１つの表示モードを前記第１指針で表示する第１表示部と、
第２指針を有し、前記第１表示部の表示する表示モードが前記第１表示モードである場合、前記第１計測値の基準値からの偏差を前記第２指針で表示する第２表示部と、
第３指針を有し、前記第１表示部の表示する表示モードが前記第１表示モードである場合、前記第１計測値を前記第３指針で表示する第３表示部と、
時針と分針とを有し、前記表示モードに関わらず前記時針と前記分針とを用いて時刻を表示する時刻表示部と、
を含み、
前記時刻表示部は、第４指針を含み、
前記第３表示部は、前記第１表示部の表示する表示モードが前記第１表示モードである場合、前記第１計測値のうち所定の桁以上の桁の数値を前記第３指針で表示し、
前記第４指針は、前記第１表示部の表示する表示モードが前記第１表示モードである場合、前記第１計測値のうち前記所定の桁未満の桁の数値を表示し、
前記第４指針は、前記第１指針、前記第２指針および前記第３指針よりも長い、
ことを特徴とする電子時計。
【請求項５】
前記第１計測値は、気圧、高度、勾配、水深、温度、湿度、紫外線量、活動量、消費カロリー、歩数、単位時間当たりの歩数、移動距離、移動スピード、所定距離の移動に要した時間、血圧、または脈拍であることを特徴とする請求項１から４のいずれか１項に記載の電子時計。
【請求項６】
前記複数の表示モードは、前記時刻を表示する時刻表示モードを含み、
前記第２表示部は、前記第１表示部の表示する表示モードが前記時刻表示モードである場合、前記時刻における秒を前記第２指針で表示する、
ことを特徴とする請求項１から５のいずれか１項に記載の電子時計。
【請求項７】
前記時刻表示部は、前記第１表示部と前記第２表示部と前記第３表示部とを含み、
前記第１表示部は、前記第２指針の回転軸を含む前記時刻表示部の６時１２時方向の第１直線と、前記第３指針の回転軸を含む前記時刻表示部の６時１２時方向の第２直線との間に、前記第１指針の回転軸が位置するように、前記時刻表示部に配置されている、
ことを特徴とする請求項１から６のいずれか１項に記載の電子時計。
【請求項８】
前記複数の表示モードは、前記第１計測値とは異なる第２計測値を表示する第２表示モードを含み、
前記第３表示部は、前記第１表示部の表示する表示モードが前記第２表示モードである場合、前記第２計測値のうち特定の桁以上の桁の数値を前記第３指針で表示し、
前記第４指針は、前記第１表示部の表示する表示モードが前記第２表示モードである場合、前記第２計測値のうち前記特定の桁未満の桁の数値を表示する、
ことを特徴とする請求項１から７のいずれか１項に記載の電子時計。
【請求項９】
前記第２表示部は、前記第１表示部の表示する表示モードが前記第２表示モードであり、かつ、前記第２計測値が負の値である場合、前記第２計測値が負の値であることを前記第２指針で表示する、ことを特徴とする請求項８に記載の電子時計。
【発明の詳細な説明】
【技術分野】
【０００１】
本発明は、電子時計に関する。
【背景技術】
【０００２】
特許文献１には、時針と分針と秒針とを用いて、時刻と、時刻とは異なる情報（高度、温度および気圧）と、を表示する電子時計が記載されている。
【先行技術文献】
【特許文献】
【０００３】
【特許文献１】特開２０１３−３２９１９号公報
【発明の概要】
【発明が解決しようとする課題】
【０００４】
特許文献１に記載の電子時計は、時針と分針と秒針とを用いて、時刻とは異なる情報（高度、温度および気圧）を表示するので、時刻とは異なる情報を表示する際、電子時計として最も基本的な機能である時刻表示を行えなくなる。
【０００５】
本発明は上述した事情に鑑みてなされたものであり、指針を用いて時刻とは異なる情報を表示する際に時刻表示を可能にすることを解決課題とする。
【課題を解決するための手段】
【０００６】
本発明の電子時計の一態様は、第１計測値を表示する第１表示モードを含む複数の表示モードを備える電子時計であって、第１指針を有し、前記複数の表示モードのうち１つの表示モードを前記第１指針で表示する第１表示部と、第２指針を有し、前記第１表示部の表示する表示モードが前記第１表示モードである場合、前記第１計測値の変化を前記第２指針で表示する第２表示部と、第３指針を有し、前記第１表示部の表示する表示モードが前記第１表示モードである場合、前記第１計測値を前記第３指針で表示する第３表示部と、時針と分針とを有し、前記表示モードに関わらず前記時針と前記分針とを用いて時刻を表示する時刻表示部と、を含むことを特徴とする。
この態様によれば、第１表示部が第１指針で第１表示モードを表示し、第２表示部が第２指針で第１計測値の変化を表示し、第３表示部が第３指針で第１計測値を表示していても、時刻表示部は、表示モードに関わらず時針と分針で時刻を表示する。このため、指針を用いて時刻とは異なる情報（第１表示モード、第１計測値の変化および第１計測値）を表示する際に時刻表示を継続できる。また、第１表示モードと第１計測値の変化と第１計測値に関する情報を別々の指針で表示でき、第１計測値に関する情報が見やすくなる。
【０００７】
上述した電子時計の一態様において、前記第１計測値の変化は、前回の前記第１計測値と今回の前記第１計測値との比較結果であることが望ましい。
この態様によれば、前回の第１計測値からの変化を容易に視認可能になる。
【０００８】
上述した電子時計の一態様において、前記第１計測値の変化は、前回の前記第１計測値に対する今回の前記第１計測値の割合であることが望ましい。
この態様によれば、前回の第１計測値に対する今回の第１計測値の割合を容易に視認可能になる。
【０００９】
本発明の電子時計の一態様は、第１計測値を表示する第１表示モードを含む複数の表示モードを備える電子時計であって、第１指針を有し、前記複数の表示モードのうち１つの表示モードを前記第１指針で表示する第１表示部と、第２指針を有し、前記第１表示部の表示する表示モードが前記第１表示モードである場合、前記第１計測値の基準値からの偏差を前記第２指針で表示する第２表示部と、第３指針を有し、前記第１表示部の表示する表示モードが前記第１表示モードである場合、前記第１計測値を前記第３指針で表示する第３表示部と、時針と分針とを有し、前記表示モードに関わらず前記時針と前記分針とを用いて時刻を表示する時刻表示部と、を含むことを特徴とする。
この態様によれば、第１表示部が第１指針で第１表示モードを表示し、第２表示部が第２指針で第１計測値の基準値からの偏差を表示し、第３表示部が第３指針で第１計測値を表示していても、時刻表示部は、表示モードに関わらず時針と分針で時刻を表示する。このため、指針を用いて時刻とは異なる情報（第１表示モード、第１計測値の基準値からの偏差および第１計測値）を表示する際に時刻表示を継続できる。また、第１表示モードと第１計測値の基準値からの偏差と第１計測値に関する情報を別々の指針で表示でき、第１計測値に関する情報が見やすくなる。
【００１０】
上述した電子時計の一態様において、前記第１計測値は、気圧、高度、勾配、水深、温度、湿度、紫外線量、活動量、消費カロリー、歩数、単位時間当たりの歩数、移動距離、移動スピード、所定距離の移動に要した時間、血圧、または脈拍であることが望ましい。
この態様によれば、気圧、高度、勾配、水深、温度、湿度、紫外線量、活動量、消費カロリー、歩数、単位時間当たりの歩数、移動距離、移動スピード、所定距離の移動に要した時間、血圧、または脈拍を見やすく表示できる。
【００１１】
上述した電子時計の一態様において、前記複数の表示モードは、前記時刻を表示する時刻表示モードを含み、前記第２表示部は、前記第１表示部の表示する表示モードが前記時刻表示モードである場合、前記時刻における秒を前記第２指針で表示することが望ましい。
この態様によれば、表示モードが時刻表示モードである場合に、第２表示部で時刻における秒を表示できる。また、第２表示部は、表示モードに応じて複数種類の情報を表示可能になる。
【００１２】
上述した電子時計の一態様において、前記時刻表示部は、前記第１表示部と前記第２表示部と前記第３表示部とを含み、前記第１表示部は、前記第２指針の回転軸を含む前記時刻表示部の６時１２時方向の第１直線と、前記第３指針の回転軸を含む前記時刻表示部の６時１２時方向の第２直線との間に、前記第１指針の回転軸が位置するように、前記時刻表示部に配置されていることが望ましい。
この態様によれば、第２表示部の表示と第３表示部の表示とに関連する表示モードを表示する第１表示部が、時刻表示部の３時９時方向において、第２表示部と第３表示部との間に配置される。このため、第１表示部と第２表示部と第３表示部が視認しやすくなる。
【００１３】
上述した電子時計の一態様において、前記時刻表示部は、第４指針を含み、前記第３表示部は、前記第１表示部の表示する表示モードが前記第１表示モードである場合、前記第１計測値のうち所定の桁以上の桁の数値を前記第３指針で表示し、前記第４指針は、前記第１表示部の表示する表示モードが前記第１表示モードである場合、前記第１計測値のうち前記所定の桁未満の桁の数値を表示し、前記第４指針は、前記第１指針、前記第２指針および前記第３指針よりも長いことが望ましい。
この態様によれば、第１指針、第２指針および第３指針よりも長い第４指針が、第１計測値のうち所定の桁未満の桁の数値を表示するので、第１計測値のうち所定の桁未満の桁の数値を目立たせることができる。また、一般的に、計測値は、上位の桁の値よりも下位の桁の値の方が変動しやすい。このため、第４指針が、第１計測値のうち所定の桁未満の桁の数値を表示することで、第１指針、第２指針または第３指針が第１計測値のうち所定の桁未満の桁の数値を表示する場合に比べて、第１計測値の変動を目立つように表示できる。
【００１４】
上述した電子時計の一態様において、前記複数の表示モードは、第２計測値を表示する第２表示モードを含み、前記第３表示部は、前記第１表示部の表示する表示モードが前記第２表示モードである場合、前記第２計測値のうち特定の桁以上の桁の数値を前記第３指針で表示し、前記第４指針は、前記第１表示部の表示する表示モードが前記第２表示モードである場合、前記第２計測値のうち前記特定の桁未満の桁の数値を表示することが好ましい。
この態様によれば、第１指針、第２指針、第３指針、時針および分針よりも長い第４指針が、第２計測値のうち特定の桁未満の桁の数値を表示するので、第２計測値のうち特定の桁未満の桁の数値を目立たせることができる。また、一般的に、計測値は、上位の桁の値よりも下位の桁の値の方が変動しやすい。このため、第４指針が、第２計測値のうち特定の桁未満の桁の数値を表示することで、第１指針、第２指針、第３指針、時針または分針が第２計測値のうち特定の桁未満の桁の数値を表示する場合に比べて、第２計測値の変動を目立つように表示できる。
【００１５】
上述した電子時計の一態様において、前記第２表示部は、前記第１表示部の表示する表示モードが前記第２表示モードであり、かつ、前記第２計測値が負の値である場合、前記第２計測値が負の値であることを前記第２指針で表示することが好ましい。
この態様によれば、第２計測値が負の値であることを表示できる。また、第２表示部は、表示モードに応じて複数種類の情報を表示可能になる。
【図面の簡単な説明】
【００１６】
【図１】本発明の実施形態に係る電子時計を含むＧＰＳの全体図である。
【図２】本実施形態に係る電子時計の一例を示す図である。
【図３】６時情報表示部を示す図である。
【図４】２時情報表示部を示す図である。
【図５】１０時情報表示部を示す図である。
【図６】６時情報表示部と２時情報表示部と１０時情報表示部の関係を示す図である。
【図７】電子時計Ｗの構成を示したブロック図である。
【図８】６時情報表示部の一例を示す平面図である。
【図９】６時情報表示部の変形例を示す平面図である。
【図１０】６時情報表示部の他の変形例を示す平面図である。
【図１１】６時情報表示部のさらに他の変形例を示す平面図である。
【発明を実施するための形態】
【００１７】
＜第１実施形態＞
以下、図面を参照しながら本発明に係る実施の形態を説明する。なお、図面において各部の寸法や縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１８】
図１は、本実施形態に係るセンサー付き電子時計（以下、単に「電子時計」と称する）Ｗを含むＧＰＳの全体図である。電子時計Ｗは、外部信号の一例である電波を用いて現在地の位置情報と時刻情報とを求める。
【００１９】
電子時計Ｗは、ＧＰＳ衛星８からの電波（衛星信号）を受信して内部時計の計時時刻を修正する腕時計である。電子時計Ｗは、腕と接触する側の面（以下「裏面」と称する）の反対側の面（以下「表面」と称する）に時刻等を表示する。ＧＰＳ衛星８は、地球の上空において、所定の軌道上を周回する航法衛星である。ＧＰＳ衛星８は、航法メッセージが重畳された１．５７５４２ＧＨｚの電波（Ｌ１波）を地上に送信している。以降の説明では、航法メッセージが重畳された１．５７５４２ＧＨｚの電波を衛星信号という。衛星信号は、右旋偏波の円偏波である。
【００２０】
現在、約３１個のＧＰＳ衛星８（図１においては、４個のみを図示）が存在している。衛星信号がどのＧＰＳ衛星８から送信されたかを識別可能にするために、各ＧＰＳ衛星８は、Ｃ／Ａコード（Coarse／Acquisition Code）と呼ばれる１０２３ｂｉｔ（１ｍｓ周期）の固有のパターンを衛星信号に重畳する。各ｂｉｔは、＋１、または−１のいずれかである。このため、Ｃ／Ａコードは、ランダムパターンのように見える。
【００２１】
ＧＰＳ衛星８は原子時計を搭載している。衛星信号には、原子時計で計時された極めて正確なＧＰＳ時刻情報が含まれている。地上のコントロールセグメントにより、各ＧＰＳ衛星８に搭載されている原子時計のわずかな時刻誤差が測定されている。衛星信号には、その時刻誤差を補正するための時刻補正パラメーターも含まれている。電子時計Ｗは、１つのＧＰＳ衛星８から送信された衛星信号（電波）を受信し、その中に含まれるＧＰＳ時刻情報と時刻補正パラメーターとを使用して得られた正確な時刻（時刻情報）を内部時刻（内部時計の計時時刻）として用いる。
【００２２】
衛星信号には、ＧＰＳ衛星８の軌道上の位置を示す軌道情報も含まれている。電子時計Ｗは、ＧＰＳ時刻情報と軌道情報とを使用して測位計算を行うことができる。
測位計算は、電子時計Ｗの内部時計の計時時刻にある程度の誤差が含まれていることを前提として行われる。すなわち、電子時計Ｗの三次元の位置を特定するためのｘ，ｙ，ｚパラメーターに加えて時刻誤差も未知数になる。そのため、電子時計Ｗは、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２３】
図２は、電子時計Ｗを示す平面図である。
＜表示モードについて＞
電子時計Ｗは、気圧を表示する気圧表示モードを含む複数の表示モードを備えている。気圧は、第１計測値の一例である。気圧表示モードは、第１表示モードの一例である。以下の説明では、電子時計Ｗが、表示モードとして、時刻を表示する時刻表示モード（ＴＩＭＥ）と、標高を表示する標高表示モード（ＡＬＴ）と、気圧表示モード（ＢＡＲ）と、方位を表示する方位表示モード（ＣＯＭ）と、オプション表示モード（ＯＰ）と、を有している例を説明する。なお、複数の表示モードは、上述した５つの表示モードに限らず、例えば、少なくとも気圧表示モードを含む２つ以上の表示モードであればよい。標高は、第２計測値の一例である。標高表示モードは、第２表示モードの一例である。
【００２４】
時刻表示モードでは、時刻表示に加え、クロノグラフ機能（ストップウォッチ機能）が有効となる。
オプション表示モードでは、例えば、脈拍センサーなどの生体情報を測定する機器が無線または有線で後述する通信部１０３（図７参照）に接続される。オプション表示モードは、該機器が測定した生体情報を表示するモードである。なお、オプション表示モードは、生体情報を表示するモードに限らず適宜変更可能である。
【００２５】
＜各表示部＞
電子時計Ｗは、６時情報表示部４と、２時情報表示部７と、１０時情報表示部３と、時刻表示部１０と、を含んでいる。
【００２６】
＜６時情報表示部４＞
図３は、６時情報表示部４を示した図である。
６時情報表示部４は、図２に示した時刻表示部１０の６時側に配置された円形の情報表示部である。６時情報表示部４は、第１表示針４２と、第２表示針４１と、文字板４ａと、を含んでいる。第１表示針４２は、第１指針の一例である。第１表示針４２と第２表示針４１は、同心軸（回転軸）４０を中心に回転する。
【００２７】
６時情報表示部４は、表示モード（時刻表示モードと、標高表示モードと、気圧表示モードと、方位表示モードと、オプション表示モード）を第１表示針４２で表示し、電池残量等を第２表示針４１で表示する。６時情報表示部４は、第１表示モードを含む複数の表示モードのうち１つの表示モードを第１指針で表示する第１表示部の一例である。
【００２８】
図３に示すように、６時情報表示部４では、標高表示モードに対応する“ＡＬＴ”の領域４４ｂと、気圧表示モードに対応する“ＢＡＲ”の領域４４ｃと、方位表示モードに対応する“ＣＯＭ”の領域４４ｄが、“ＡＬＴ”の領域４４ｂ、“ＢＡＲ”の領域４４ｃ、“ＣＯＭ”の領域４４ｄの順に並べて配置されている。
【００２９】
また、“ＡＬＴ”の領域４４ｂの“ＢＡＲ”の領域４４ｃ側との反対側に、時刻表示モードに対応する領域（“ＴＩＭＥ”の領域）４４ａが配置されている。“ＣＯＭ”の領域４４ｄの“ＢＡＲ”の領域４４ｃ側との反対側に、オプション表示モードに対応する領域（“ＯＰ”の領域）４４ｅが配置されている。
【００３０】
第１表示針４２は、“ＴＩＭＥ”の領域４４ａを指示することで、表示モードが時刻表示モードであることを表示する。第１表示針４２は、“ＡＬＴ”の領域４４ｂを指示することで、表示モードが標高表示モードであることを表示する。第１表示針４２は、“ＢＡＲ”の領域４４ｃを指示することで、表示モードが気圧表示モードであることを表示する。第１表示針４２は、“ＣＯＭ”の領域４４ｄを指示することで、表示モードが方位表示モードであることを表示する。第１表示針４２は、“ＯＰ”の領域４４ｅを指示することで、表示モードがオプション表示モードであることを表示する。
【００３１】
そして、第１表示針４２の回転方向（周回方向）において、“ＡＬＴ”の領域４４ｂと“ＢＡＲ”の領域４４ｃとの間の距離が、“ＣＯＭ”の領域４４ｄと“ＡＬＴ”の領域４４ｂとの間の距離よりも短くなっており、かつ、“ＢＡＲ”の領域４４ｃと“ＣＯＭ”の領域４４ｄとの距離が、“ＣＯＭ”の領域４４ｄと“ＡＬＴ”の領域４４ｂとの間の距離よりも短くなっている。ここで、第１表示針４２の回転方向（周回方向）における“ＣＯＭ”の領域４４ｄと“ＡＬＴ”の領域４４ｂとの間の距離は、“ＢＡＲ”の領域４４ｃを通らない、第１表示針４２の回転方向（周回方向）における“ＣＯＭ”の領域４４ｄと“ＡＬＴ”の領域４４ｂとの間の距離を意味する。
【００３２】
＜２時情報表示部７＞
図４は、２時情報表示部７を示した図である。
２時情報表示部７は、図２に示した時刻表示部１０の２時側に配置された円形の情報表示部である。２時情報表示部７は、計測表示針７１および７２と、文字板７３と、を含んでいる。計測表示針７１および７２は、それぞれ、第３指針の一例である。計測表示針７１および７２は、同心軸（回転軸）７５を中心に回転する。文字板７３は、数値で示された目盛り７４ａ〜７４ｊを備えた部材である。図４では、目盛り７４ａ〜７４ｊは、それぞれ、数値「０」〜「９」で示されている。
【００３３】
２時情報表示部７は、６時情報表示部４の表示する表示モードが気圧表示モードである場合、気圧を計測表示針７１および７２で表示する。２時情報表示部７は、第１表示部の表示する表示モードが第１表示モードである場合に第１計測値を第３指針で表示する第３表示部の一例である。
本実施形態では、計測表示針７１は、気圧の数値のうち１０００の位の桁の値を表示し、計測表示針７２は、気圧の数値のうち１００の位の桁の値を表示する。つまり、２時情報表示部７は、気圧の数値のうち１００の位の桁以上の桁の数値を、計測表示針７１および７２で表示する。なお、気圧の数値のうち１００の位の桁未満の桁の数値は、時刻表示部１０に設けられた計測表示針１１（図２参照）で表示される。気圧の数値のうち１００の位の桁は、所定の桁の一例である。所定の桁は、気圧の数値のうち１００の位の桁に限らず適宜変更可能である。
【００３４】
２時情報表示部７は、６時情報表示部４の表示する表示モードが標高表示モードである場合、標高を計測表示針７１および７２で表示する。
本実施形態では、計測表示針７１は、標高の数値のうち１０００の位の桁の値を表示し、計測表示針７２は、標高の数値のうち１００の位の桁の値を表示する。つまり、２時情報表示部７は、標高の数値のうち１００の位の桁以上の桁の数値を、計測表示針７１および７２で表示する。なお、標高の数値のうち１００の位の桁未満の桁の数値は、計測表示針１１（図２参照）で表示される。標高の数値のうち１００の位の桁は、特定の桁の一例である。特定の桁は、標高の数値のうち１００の位の桁に限らず適宜変更可能である。
【００３５】
２時情報表示部７は、６時情報表示部４の表示する表示モードが方位表示モードである場合、計測表示針７１および７２でゼロの目盛り７４ａを表示する。なお、表示モードが方位表示モードである場合、計測表示針１１が北の方位を指し示す。つまり、表示モードが方位表示モードである場合、２時情報表示部７での表示は意味を有さず、よって、計測表示針７１および７２はゼロの目盛り７４ａを表示する。
【００３６】
また、２時情報表示部７は、６時情報表示部４の表示する表示モードが時刻表示モードであるときにクロノグラフ機能（ストップウォッチ機能）が実行されると、計測時間のうちの分の数値のうち１の位の桁の値と１０の位の桁の値とを、計測表示針７１および７２で表示する。なお、計測時間のうち秒の桁の数値は、計測表示針１１で表示される。
【００３７】
＜１０時情報表示部３＞
図５は、１０時情報表示部３を示した図である。
１０時情報表示部３は、時計表示部１０の１０時側に配置された円形の情報表示部である。１０時情報表示部３は、秒針３１と、文字板３２と、を含む。秒針３１は、第２指針の一例である。秒針３１は、回転軸３５を中心に回転する。
【００３８】
文字板３２には、気圧の変化を−５ｈＰａ〜＋５ｈＰａの間で表示するための気圧傾向メーター３３と、標高が負の値であることを示す「−」の符号３４とが設けられている。
【００３９】
気圧傾向メーター３３では、文字板３２に記載された数字「３」が「０ｈＰａ（変化ゼロ）」に対応し、文字板３２に記載された数字「２」が「＋５ｈＰａ」に対応し、文字板３２に記載された数字「４」が「−５ｈＰａ」に対応する。
【００４０】
１０時情報表示部３は、６時情報表示部４の表示する表示モードが気圧表示モードである場合、気圧の変化を、その変化量を示す気圧傾向メーター３３の位置を秒針３１で指示することで表示する。１０時情報表示部３は、第１表示部の表示する表示モードが気圧表示モードである場合に気圧の変化を第２指針で表示する第２表示部の一例である。気圧の変化は、前回の気圧の計測値と今回の気圧の計測値との比較結果である。本実施形態では、後述する圧力センサー１０１（図７参照）が、気圧を間欠的に計測する。１０時情報表示部３は、気圧傾向メーター３３において、新たに計測された気圧が前回計測された気圧から変化した量を示す箇所を、秒針３１で表示する。
【００４１】
また、１０時情報表示部３は、６時情報表示部４の表示する表示モードが時刻表示モードである場合、時刻における秒を秒針３１で表示する。また、１０時情報表示部３は、６時情報表示部４の表示する表示モードが方位表示モードである場合、時刻における秒を秒針３１で表示する。また、１０時情報表示部３は、６時情報表示部４の表示する表示モードが標高表示モードであるときに標高の値が０以上である場合、時刻における秒を秒針３１で表示する。
【００４２】
また、１０時情報表示部３は、６時情報表示部４の表示する表示モードが標高表示モードであるときに標高の値が負の値である場合、秒針３１が「−」の符号３４を指示することによって、標高が負の値であることを表示する。
【００４３】
＜時刻表示部１０＞
時刻表示部１０は、時針１と、分針２と、計測表示針１１と、６時情報表示部４と、２時情報表示部７と、１０時情報表示部３と、を含んでいる。時刻表示部１０は、表示モードに関わらず時針１と分針２とを用いて時刻を表示する。
【００４４】
計測表示針１１は、第４指針の一例である。計測表示針１１は、時針１、分針２、秒針３１、第１表示針４２、第２表示針４１、および、計測表示針７１および７２よりも長い。
【００４５】
６時情報表示部４は、図６に示すように、第１表示針４２と第２表示針４１の同心軸（回転軸）４０が直線Ｌ１と直線Ｌ２との間に位置するように、時刻表示部１０に配置されている。ここで、直線Ｌ１は、１０時情報表示部３の秒針３１の回転軸３５を含む時刻表示部１０の６時１２時方向の直線である。直線Ｌ２は、２時情報表示部７の計測表示針７１および７２の同心軸（回転軸）７５を含む時刻表示部１０の６時１２時方向の直線である。
【００４６】
＜電子時計Ｗの構成＞
図７は、電子時計Ｗの構成を示したブロック図である。
【００４７】
電子時計Ｗは、時刻情報を含む電波を受信し、その時刻情報に基づいて表示時刻を修正する。
【００４８】
電子時計Ｗは、時刻表示部１０に関する構成として、時針１と、分針２と、計測表示針１１と、輪列機構３０１および３０２と、駆動部２０１および２０２と、を含む。駆動部２０１および２０２は、例えば、ステップモーターである。駆動部２０１は、輪列機構３０１を介して時針１および分針２を駆動する。駆動部２０２は、輪列機構３０２を介して計測表示針１１を駆動する。
【００４９】
電子時計Ｗは、１０時情報表示部３に関する構成として、秒針３１と、輪列機構３０３と、駆動部２０３と、を含む。駆動部２０３は、例えば、ステップモーターである。駆動部２０３は、輪列機構３０３を介して秒針３１を駆動する。
【００５０】
電子時計Ｗは、２時情報表示部７に関する構成として、計測表示針７１および７２と、輪列機構３０４と、駆動部２０４と、を含む。駆動部２０４は、例えば、ステップモーターである。駆動部２０４は、輪列機構３０４を介して計測表示針７１および７２を駆動する。
【００５１】
電子時計Ｗは、６時情報表示部４に関する構成として、第１表示針４２と、第２表示針４１と、輪列機構３０５と、駆動部２０５と、を含む。駆動部２０５は、例えば、ステップモーターである。駆動部２０５は、輪列機構３０５を介して第１表示針４２および第２表示針４１を駆動する。
【００５２】
電子時計Ｗは、さらに、圧力センサー１０１と、磁気センサー１０２と、通信部１０３と、受信部１０４と、ボタン１３〜１５と、記憶部１０５と、制御部１０６と、電池１０７と、を含む。
【００５３】
圧力センサー１０１は、気圧を計測する。なお、圧力センサー１０１が計測した気圧から標高が求められる。磁気センサー１０２は、地磁気を計測する。通信部１０３は、オプション表示モードで使用される脈拍センサーなどの生体情報を測定する機器と無線または有線で通信する。受信部１０４は、アンテナを備え、アンテナを介して受信した衛星信号を処理してＧＰＳ時刻情報や位置情報を取得する。
【００５４】
ボタン１３は、時刻表示モード下でストップウォッチ機能を開始するためのユーザー操作（押下操作）と、ストップウォッチ機能を終了するためのユーザー操作（押下操作）を受ける。ボタン１４は、表示モードを切り替えるためのユーザー操作（押下操作）を受ける。ボタン１５は、標高表示モード下で標高の計測を開始するためのユーザー操作（押下操作）と、方位表示モード下で方位の計測を開始するためのユーザー操作（押下操作）と、気圧表示モード下で気圧の計測を開始するためのユーザー操作（押下操作）と、を受ける。なお、ボタン１５は、ボタン１３の代わりに、時刻表示モード下でストップウォッチ機能を開始するためのユーザー操作（押下操作）と、ストップウォッチ機能を終了するためのユーザー操作（押下操作）を受けてもよい。
【００５５】
記憶部１０５は、制御部１０６の動作を規定するプログラムと、気圧と高度との関係を示したテーブルと、を記憶している。制御部１０６は、例えばＣＰＵであり、記憶部１０５に記憶されているプログラムを読み取り実行することで電子時計Ｗを制御する。例えば、制御部１０６は、内部時計（不図示）を有し、ＧＰＳ時刻情報に応じて内部時計の計時時刻を修正する。電池１０７は、電子時計Ｗの電源として使用される。
【００５６】
＜電子時計Ｗの詳細＞
次に、電子時計Ｗについて詳細に説明する。
【００５７】
電子時計Ｗには、図２に示すように、ダイヤルリング１７の内周側に文字板５が配置され、ダイヤルリング１７の外周側には、ダイヤルリング１７と同心円状にベゼル１９が配置されている。文字板５から突出した指針軸には、時針１、分針２が取り付けられている。文字板５の時針１に対応する位置に、１２時間制の目盛５ａが環状に形成されている。秒針３１の回転軸は、文字板５の１０時を示す方向に配置されている。秒針３１は、文字板５から突出した指針軸に取り付けられて１０時情報表示部３が形成されている。
【００５８】
電子時計Ｗは、計測表示針１１を有する。計測表示針１１は、例えば、標高表示モード下では、圧力センサー１０１の出力から特定される標高の数値のうち、１の位と１０の位との桁によって示される値（０〜９９のうち該当する値）を表示する。具体的には、計測表示針１１は、ダイヤルリング１７に１００分割された目盛を用いて、標高の計測結果における１の位および１０の位の桁の数字を表示する。計測表示針７１および７２の回転軸は、文字板５の２時を示す方向に配置されている。標高の計測結果における１００の位と１０００の位の桁の値を表示する計測表示針７１および７２は、文字板５から突出した指針軸に取り付けられて２時情報表示部７が形成されている。図２に示した例では、計測表示針７１および７２は標高１４００ｍを示し、計測表示針１１は標高６５ｍを示している。これにより、ユーザーは、標高が１４６５ｍであることを知ることができる。
【００５９】
図３に詳細に示すように、６時情報表示部４の文字板４ａは、第１表示領域４４と第２表示領域４３とを有する。第１表示領域４４と第２表示領域４３は、互いに重複しないように隣り合って配置されている。
【００６０】
第２表示領域４３は、同心軸４０を中心とする中心角がθ１（＝１０８°）の扇状をなす範囲となっている。第２表示領域４３は、第２表示針４１の指示可能な領域の一例である。
【００６１】
第１表示領域４４は、同心軸４０を中心とする中心角がθ２（＝１２９°）の円弧状の範囲となっている。第１表示領域４４は、第１表示針４２の指示可能な領域の一例である。各表示領域４３および４４は、同心軸４０における回転角度によって複数の表示単位に分割されている。
【００６２】
第２表示領域４３には、電池残量を示す領域（４３ｃ）と、電子時計Ｗの動作状態を示す領域（４３ａおよび４３ｂ）とが設けられている。第２表示針４１は、電池残量を示す領域を指示することで電池残量を表示する。また、第２表示針４１は、電子時計Ｗの動作状態を示す領域を指示することで電子時計Ｗの動作状態を表示する。
【００６３】
電子時計Ｗの動作状態としては、時刻情報を含む電波の受信停止を意味する「無線停止中」と、第１表示針４２が表示する表示モードに対応する計測（標高や方位や気圧やストップウォッチ機能での時間の計測）を実行中であることを意味する「計測中」が含まれる。
【００６４】
本実施形態では、第２表示領域４３には、電池残量メーター４３ｃと、無線停止中を示すアイコン４３ａと、「計測中」を示す“ＭＥＡＳ”の文字４３ｂが設けられている。アイコン４３ａが位置する領域および“ＭＥＡＳ”の文字４３ｂが位置する領域は、電子時計Ｗの動作状態に対応する領域の一例である。 “ＭＥＡＳ”の文字４３ｂが位置する領域は、第１表示領域４４と隣り合っている。
【００６５】
第２表示針４１は、第２表示領域４３において、同心軸４０を中心とする回転により、電池残量と電子時計Ｗの動作状態とを択一的に表示する。
【００６６】
一方、第１表示針４２は、第１表示領域４４において、同心軸４０を中心とする回転により、現在の表示モード（時刻表示モード、標高表示モード、気圧表示モード、方位表示モード、オプション表示モードのいずれか）を表示する。
【００６７】
なお、各表示モードは、該表示モードでの測定値（計測値）の種類も示す。例えば、時刻表示モードは、測定値の種類として時刻または時間を示し、標高表示モードは、測定値の種類として標高を示し、気圧表示モードは、測定値の種類として気圧を示し、方位表示モードは、測定値の種類として方位を示し、オプション表示モードは、測定値の種類として生体情報を示す。
【００６８】
第２表示針４１は、“ＭＥＡＳ”位置から“Ｅ”位置（空；エンプティー位置）までの１０８°の範囲を、“Ｆ”位置（フル位置）を中心に±５４°の範囲で移動して第２情報（電池残量と電子時計Ｗの動作状態）を表示する。
【００６９】
なお、電子時計Ｗを携帯したユーザーが航空機に搭乗中であるときのように無線機能（時刻情報を含む電波の受信機能）が使えないときに、ユーザーがボタンを操作すると（例えば、ユーザーがボタン１３とボタン１５の同時押し操作）、第２表示針４１が無線停止中を示すアイコン４３ａを指示するようになっている。
【００７０】
第１表示領域４４は、“ＴＩＭＥ”の領域４４ａと、“ＡＬＴ”の領域４４ｂと、“ＢＡＲ”の領域４４ｃと、“ＣＯＭ”の領域４４ｄと、“ＯＰ”の領域４４ｅとを含む。
第１表示領域４４では、第１表示針４２が各表示モードの表示単位（“ＴＩＭＥ”の領域、“ＡＬＴ”の領域、“ＢＡＲ”の領域、“ＣＯＭ”の領域、“ＯＰ”の領域）４４ａ〜４４ｅを択一的に指示することにより、現在の表示モードが表示される。“ＴＩＭＥ”の領域４４ａ、“ＡＬＴ”の領域４４ｂ、“ＢＡＲ”の領域４４ｃ、“ＣＯＭ”の領域４４ｄおよび“ＯＰ”の領域４４ｅの各々は、同心軸４０を中心とする中心角が３０°の領域として設けられている。
【００７１】
本実施形態では、帯状の円弧形をなす領域に表記された文字によって、各表示モードの表示単位４４ａ〜４４ｅが示されている。具体的には、表示単位４４ａ〜４４ｅとして、“ＴＩＭＥ”（時刻）、“ＡＬＴ”（標高）、“ＢＡＲ”（気圧）、“ＣＯＭ”（コンパス：方位）、“ＯＰ”（オプション）が示されている。
【００７２】
第１表示針４２の指示位置にて表示される表示モード、つまり、第１表示領域４４で表示される表示モードは、ボタン１４の押下操作で切り替えることができる。制御部１０６は、ボタン１４が１回押されるごとに、第１表示針４２の指示位置を、“ＴＩＭＥ”の領域４４ａ、“ＡＬＴ”の領域４４ｂ、“ＢＡＲ”の領域４４ｃ、“ＣＯＭ”の領域４４ｄ、“ＯＰ”の領域４４ｅへと切り替える。
また、第１表示針４２がオプション表示モード（“ＯＰ”モード）を指し示している状況でボタン１４が押されると、制御部１０６は、第１表示針４２を逆転させて“ＴＩＭＥ”の領域４４ａ（時刻表示モードの領域）へ移動させる。
【００７３】
なお、図３に示した例では、第２表示針４１が電池残量“Ｆ”（フル）を示し、第１表示針４２が時刻表示モードを示している。
【００７４】
６時情報表示部４の文字板４ａの６時を示す方向には、カレンダーを表示する日車６を透視するための情報表示部５ｂが形成されている。情報表示部５ｂは、第３情報の一例であるカレンダーの日付を表示する。情報表示部５ｂが、同心軸４０を通り１２時側と６時側とを結ぶ直線上に、固定配置されることで、電子時計Ｗ全体のシンメトリーなデザインが実現される。
【００７５】
ここで、制御部１０６の動作の例を説明する。
【００７６】
制御部１０６は、表示モードが標高表示モードである状況でボタン１５の押下を検知すると、圧力センサー１０１に動作開始信号を出力して圧力センサー１０１に気圧の計測を開始させ、かつ、第２表示針４１が“ＭＥＡＳ”の文字４３ｂを示す位置を指示するように駆動部２０５を制御する。
圧力センサー１０１は、動作開始信号を受けて気圧の計測を開始し、その後、気圧の計測を終了すると、気圧の計測結果を制御部１０６に出力する。
制御部１０６は、気圧の計測結果を受けると、記憶部１０５に記憶されているテーブルを参照して、気圧の計測結果に応じた標高を特定する。続いて、制御部１０６は、駆動部２０２および２０４を制御して、標高の計測結果を２時情報表示部７と計測表示針１１に表示させ、かつ、第２表示針４１が電池残量メーター４３ｃを示す位置を指示するように駆動部２０５を制御する。
標高の表示に関しては、制御部１０６は、計測表示針７１が標高の数値のうち１０００の位の桁の値を表示し、計測表示針７２が標高の数値のうち１００の位の桁の値を表示するように、駆動部２０４を制御し、計測表示針１１が標高の数値のうち１００の位の桁未満の桁の数値を表示するように、駆動部２０２を制御する。
なお、標高の計測結果が負の値である場合、制御部１０６は、駆動部２０３を制御して、秒針３１に「−」の符号３４を指示させる。
【００７７】
また、制御部１０６は、表示モードが方位表示モードである状況でボタン１５の押下を検知すると、磁気センサー１０２に動作開始信号を出力して磁気センサー１０２に地磁気の計測を開始させ、かつ、第２表示針４１が“ＭＥＡＳ”の文字４３ｂを示す位置を指示するように駆動部２０５を制御する。
磁気センサー１０２は、動作開始信号を受けると地磁気の計測を開始し、その後、地磁気の計測を終了すると、地磁気の計測結果を制御部１０６に出力する。
制御部１０６は、地磁気の計測結果を受けると、駆動部２０２を制御して、地磁気の計測結果（北の方位）を計測表示針１１に表示させ、かつ、第２表示針４１が電池残量メーター４３ｃを示す位置を指示するように駆動部２０５を制御する。
【００７８】
また、制御部１０６は、表示モードが気圧表示モードである状況でボタン１５の押下を検知すると、圧力センサー１０１に動作開始信号を出力して圧力センサー１０１に気圧の計測を開始させ、かつ、第２表示針４１が“ＭＥＡＳ”の文字４３ｂを示す位置を指示するように駆動部２０５を制御する。
圧力センサー１０１は、動作開始信号を受けて気圧の計測を開始し、その後、気圧の計測を終了すると、気圧の計測結果を制御部１０６に出力する。
制御部１０６は、気圧の計測結果を受けると、駆動部２０２および２０４を制御して、気圧の計測結果を２時情報表示部７と計測表示針１１に表示させ、かつ、駆動部２０３を制御して、気圧傾向メーター３３において、新たに計測された気圧が前回計測された気圧から変化した量を示す箇所を、秒針３１で表示させ、かつ、第２表示針４１が電池残量メーター４３ｃを示す位置を指示するように駆動部２０５を制御する。
気圧の表示に関しては、制御部１０６は、計測表示針７１が気圧の数値のうち１０００の位の桁の値を表示し、計測表示針７２が気圧の数値のうち１００の位の桁の値を表示するように、駆動部２０４を制御し、計測表示針１１が標高の数値のうち１００の位の桁未満の桁の数値を表示するように、駆動部２０２を制御する。
なお、制御部１０６は、気圧表示モード下でのボタン１５の押下を検出しなくても、定期的（例えば３時間ごと）に、圧力センサー１０１の動作を開始させてもよい。制御部１０６は、圧力センサー１０１が定期的に気圧を計測している場合、第２表示針４１が“ＭＥＡＳ”の文字４３ｂを示す位置を指示するように駆動部２０５を制御してもよいし、第２表示針４１に、“ＭＥＡＳ”の文字４３ｂを指示させずに、電池残量メーター４３ｃを指示させてもよい。
【００７９】
また、制御部１０６は、表示モードに関わらず、駆動部２０１を制御して時針１と分針２に時刻を表示させる。
【００８０】
以上説明した本実施形態に係る電子時計Ｗによれば、６時情報表示部４が第１表示針４２で気圧表示モードを表示し、１０時情報表示部３が秒針３１で気圧変化を表示し、２時情報表示部７が計測表示針７１および７２で気圧を表示していても、時刻表示部１０は、表示モードに関わらず時針１と分針２で時刻を表示する。このため、指針を用いて時刻とは異なる情報（気圧表示モード、気圧の変化および気圧）を表示する際に時刻を表示できる。また、気圧表示モードと気圧変化と気圧という気圧に関する情報を別々の指針で表示でき、気圧に関する情報を見やすくすることができる。
【００８１】
１０時情報表示部３の表示と２時情報表示部７の表示とに関連する表示モードを表示する６時情報表示部４が、時刻表示部１０の３時９時方向において、第２表示部と第３表示部との間に配置される。このため、１０時情報表示部３と２時情報表示部７と６時情報表示部４が視認しやすくなる。
【００８２】
また、標高や気圧を表示する際、電子時計Ｗが有する指針の中で最も長い計測表示針１１が、標高や気圧の数値のうち下位側の桁の値を表示するので、標高や気圧の数値のうち下位側の桁の値を目立たせることができる。また、一般的に、標高や気圧の数値は、上位の桁の値よりも下位の桁の値の方が変動しやすい。このため、電子時計Ｗが有する指針の中で最も長い計測表示針１１が、標高や気圧の数値のうち下位側の桁の値を表示することで、他の指針が標高や気圧の数値のうち下位側の桁の値を表示する場合に比べて、標高や気圧の変動を目立つように表示できる。
【００８３】
本実施形態では、第２表示領域４３および第１表示領域４４と重複しない領域に、同心軸４０を通るとともに１２時側と６時側とを結ぶ直線上に、第３情報を表示する第３表示領域として、カレンダーの日車６を表示する情報表示部５ｂが固定配置されている。このため、デザインのシンメトリー性を強調することができ、デザインの安定性を高めることができる。
【００８４】
（変形例）
本発明は、上述した実施形態に限定されるものではなく、例えば、次に述べるような各種の変形が可能である。また、次に述べる変形の態様の中から任意に選択された一または複数の変形を適宜組み合わせることもできる。
【００８５】
（変形例１）
上述した実施形態では、図２および図３に示したように、電池残量メーター４３ｃは、“Ｅ”（空；エンプティー）と“Ｍ”（中；ミドル）と“Ｆ”（フル）の３段階に分かれていたが、電池残量メーター４３ｃの表示の段階数は３に限らず適宜変更可能である。
【００８６】
図８は、図２や図３に示したように、電池残量メーター４３ｃの表示を３段階に分けた場合の電池残量メーター４３ｃの分割角度の例を示した図である。図９は、電池残量メーター４３ｃの表示を４段階（“Ｅ”と“Ｍ１”（ミドル１）と“Ｍ２”（ミドル２）と“Ｆ”）に分けた場合の電池残量メーター４３ｃの分割角度の例を示した図である。ここで、電池残量としては、“Ｍ１”＜“Ｍ２”の関係が成り立つとする。なお、図８に示した例と図９に示した例のいずれの場合も、電池残量メーター４３ｃは、文字板４ａにおける中心角５４°の領域になっている。
【００８７】
図８に示したように、電池残量メーター４３ｃの表示を３段階に分けた場合、電池残量メーター４３ｃは、文字板４ａにおける中心角２７°で、“Ｅ”と“Ｍ”と“Ｆ”に分けられている。一方、図９に示したように、電池残量メーター４３ｃの表示を４段階に分けた場合、電池残量メーター４３ｃは、文字板４ａにおける中心角１８°で、“Ｅ”と“Ｍ１”と“Ｍ２”と“Ｆ”に分けられている。
【００８８】
この際、第２表示針４１を、３６０°を４ｎ（ｎは１５未満の自然数）で割った角度ごとに運針することが望ましい。以下、この点について説明する。
例えば、第２表示針４１を３６０°を４ｎで割った角度ごとに運針するように構成した場合、多くの時計で使用される、指針を３６０°を６０で割った角度ごとに運針させる駆動機構と部品の共通化を図ることは難しくなるが、第２表示針４１が一度の運針で進む距離を長くでき、表示の切り替えに伴う運針数（つまり、切り替え時間）を２／３に短縮可能になる。
【００８９】
また、本変形例に限らず、第２表示針４１を、３６０°を４ｎで割った角度ごとに運針させる構成の場合、第２表示針４１にて、６時情報表示部４における上下左右（ここで、上、下、左、右は、それぞれ、１２時側、６時側、９時側、３時側に対応）を対称的に表示可能になる。また、電池残量メーター４３ｃを図８や図９に示したように構成した場合でも、例えば、第２表示針４１を、３６０°を４ｎで割った角度ごとに運針させる構成とすることで、いずれの表示（３分割の電池残量メーターと４分割の電池残量メーター）にも対応可能になる。
【００９０】
（変形例２）
図２や図３に示した６時情報表示部４において、アイコン４３ａが配置された領域と、“ＭＥＡＳ”の文字４３ｂが配置された領域が、図１０に示したように入れ替わってもよい。また、図１１に示したように、アイコン４３ａが配置された領域と“ＭＥＡＳ”の文字４３ｂが配置された領域との間に、電池残量メーター４３ｃが配置されてもよい。
図１０や図１１に示した例の場合、電池残量メーター４３ｃの隣が、“ＭＥＡＳ”の文字４３ｂの領域となる。
【００９１】
気圧、標高、方位等の計測は、登山やヨット航海時の利用シーンの状況（例えば、天候不順時での利用シーン）によっては、頻繁に使用されることが考えられる。このため、電池残量メーター４３ｃの隣が“ＭＥＡＳ”の文字４３ｂの領域であると、第２表示針４１の指示位置を、電池残量メーター４３ｃの領域から“ＭＥＡＳ”の文字４３ｂの領域に切り替えるために必要な駆動部（例えば、ステップモーター）２０５の駆動ステップ数を少なくできる。よって、消費電力の低減を図ることが可能になる。
【００９２】
（変形例３）
上記実施形態において、“ＡＬＴ”の領域４４ｂと“ＢＡＲ”の領域４４ｃと“ＣＯＭ”の領域４４ｄの並び順は、適宜変更可能である。
【００９３】
（変形例４）
また、上述した実施形態および変形例では、電源として、一次電池を一例として説明したが、本発明はこれに限定されるものではなく、電源はどのような形態であってもよい。例えば、電源として二次電池が用いられてもよい。この場合、二次電池は外部の商用電源１００Ｖによって充電されてもよい。また、電子時計Ｗに太陽電池パネルを内蔵し、太陽電池パネルで発電した電力で二次電池を充電してもよい。
【００９４】
（変形例５）
上述した実施形態および変形例では、第１計測値として気圧が用いられ、第１表示モードとして気圧表示モードが用いられたが、第１計測値と第１表示モードは適宜変更可能である。
【００９５】
（変形例６）
第１計測値として標高、つまり高度が用いられ、第１表示モードとして標高表示モードが用いられてもよい。
【００９６】
この場合、１０時情報表示部３には、標高（高度）の変化を−５０ｍ〜５０ｍの間のレンジで表示するための標高傾向メーターが設けられることが好ましい。なお、標高傾向メーターが示す標高の範囲は−５０ｍ〜５０ｍに限らず適宜変更可能である。
【００９７】
制御部１０６は、気圧の測定結果に応じた標高を特定すると、駆動部２０３を制御して、標高傾向メーターにおいて、新たに特定された標高が前回特定された標高から変化した量を示す箇所を、秒針３１で表示させる。なお、新たに特定された標高が負の値である場合には、秒針３１が「−」の符号３４を指示することによって、標高が負の値であることを表示してもよい。
【００９８】
（変形例７）
第１計測値として勾配が用いられ、第１表示モードとして勾配表示モードが用いられてもよい。
【００９９】
この場合、６時情報表示部４には、勾配表示モードを示す勾配表示エリアが設けられ、１０時情報表示部３には、所定のレンジ内で勾配の変化を表示するための勾配メーターが設けられることが好ましい。
【０１００】
制御部１０６は、表示モードが勾配表示モードである場合、駆動部２０５を制御して第１表示針４２で６時情報表示部４の勾配表示エリアを指示して、表示モードが勾配表示モードであることを表示する。
また、制御部１０６は、勾配表示モード下でボタン１５の押下を検知すると、圧力センサー１０１を動作させ、圧力センサー１０１が計測した気圧の計測結果に応じた標高を特定する。制御部１０６は、標高を特定するごとに、標高を特定した地点の位置をＧＰＳで算出する。制御部１０６は、標高と位置とが決まるごとに、今回の標高から前回の標高を減算した値を、今回の位置から前回の位置までの距離で割った値を勾配として算出する。続いて、制御部１０６は、駆動部２０４を制御して、勾配の算出結果を２時情報表示部７に表示させる。
続いて、制御部１０６は、駆動部２０３を制御して、勾配メーターにおいて、新たに算出された勾配が前回算出された勾配から変化した量を示す箇所を、秒針３１で表示させる。
【０１０１】
（変形例８）
第１計測値として水深が用いられ、第１表示モードとして水深表示モードが用いられてもよい。
【０１０２】
この場合、６時情報表示部４には、水深表示モードを示す水深表示エリアが設けられ、１０時情報表示部３には、所定のレンジ内で水深の変化を表示するための水深メーターが設けられることが好ましい。
【０１０３】
制御部１０６は、表示モードが水深表示モードである場合、駆動部２０５を制御して第１表示針４２で６時情報表示部４の水深表示エリアを指示して、表示モードが水深表示モードであることを表示する。
また、制御部１０６は、水深表示モード下でボタン１５の押下を検知すると、圧力センサー１０１を動作させ、圧力センサー１０１が計測した水圧の計測結果に応じた水深を特定する。続いて、制御部１０６は、駆動部２０４を制御して、水深の特定結果を２時情報表示部７に表示させる。
続いて、制御部１０６は、駆動部２０３を制御して、水深メーターにおいて、新たに特定された水深が前回特定された水深から変化した量を示す箇所を、秒針３１で表示させる。
【０１０４】
（変形例９）
第１計測値として温度が用いられ、第１表示モードとして温度表示モードが用いられてもよい。
【０１０５】
この場合、電子時計Ｗに温度センサーが設けられ、６時情報表示部４には、温度表示モードを示す温度表示エリアが設けられ、１０時情報表示部３には、所定のレンジ内で温度の変化を表示するための温度メーターが設けられることが好ましい。
【０１０６】
制御部１０６は、表示モードが温度表示モードである場合、駆動部２０５を制御して第１表示針４２で６時情報表示部４の温度表示エリアを指示して、表示モードが温度表示モードであることを表示する。
また、制御部１０６は、温度表示モード下でボタン１５の押下を検知すると、温度センサーを動作させ温度を特定する。続いて、制御部１０６は、駆動部２０４を制御して、温度の特定結果を２時情報表示部７に表示させる。
続いて、制御部１０６は、駆動部２０３を制御して、温度メーターにおいて、新たに特定された温度が前回特定された温度から変化した量を示す箇所を、秒針３１で表示させる。
【０１０７】
（変形例１０）
第１計測値として湿度が用いられ、第１表示モードとして湿度表示モードが用いられてもよい。
【０１０８】
この場合、電子時計Ｗに湿度センサーが設けられ、６時情報表示部４には、湿度表示モードを示す湿度表示エリアが設けられ、１０時情報表示部３には、所定のレンジ内で湿度の変化を表示するための湿度メーターが設けられることが好ましい。
【０１０９】
制御部１０６は、表示モードが湿度表示モードである場合、駆動部２０５を制御して第１表示針４２で６時情報表示部４の湿度表示エリアを指示して、表示モードが湿度表示モードであることを表示する。
また、制御部１０６は、湿度表示モード下でボタン１５の押下を検知すると、湿度センサーを動作させ湿度を特定する。続いて、制御部１０６は、駆動部２０４を制御して、湿度の特定結果を２時情報表示部７に表示させる。
続いて、制御部１０６は、駆動部２０３を制御して、温度メーターにおいて、新たに特定された湿度が前回特定された湿度から変化した量を示す箇所を、秒針３１で表示させる。
【０１１０】
（変形例１１）
第１計測値として紫外線量が用いられ、第１表示モードとして紫外線表示モードが用いられてもよい。
【０１１１】
この場合、電子時計Ｗに紫外線センサーが設けられ、６時情報表示部４には、紫外線表示モードを示す紫外線表示エリアが設けられ、１０時情報表示部３には、所定のレンジ内で紫外線の変化を表示するための紫外線メーターが設けられることが好ましい。
【０１１２】
制御部１０６は、表示モードが紫外線表示モードである場合、駆動部２０５を制御して第１表示針４２で６時情報表示部４の紫外線表示エリアを指示して、表示モードが紫外線表示モードであることを表示する。
また、制御部１０６は、紫外線表示モード下でボタン１５の押下を検知すると、紫外線センサーを動作させ紫外線量を特定する。続いて、制御部１０６は、駆動部２０４を制御して、紫外線量の特定結果を２時情報表示部７に表示させる。
続いて、制御部１０６は、駆動部２０３を制御して、紫外線メーターにおいて、新たに特定された紫外線量が前回特定された紫外線量から変化した量を示す箇所を、秒針３１で表示させる。
【０１１３】
（変形例１２）
第１計測値として活動量が用いられ、第１表示モードとして活動量表示モードが用いられてもよい。この場合、加速度センサーが電子時計Ｗに設けられ、制御部１０６は、加速度センサーの出力からユーザーの活動量を算出する。
活動量の一例としては、歩数、単位時間当たりの歩数（以下「ピッチ」と称する）、または消費カロリーが挙げられる。単位時間としては、例えば１分が用いられる。なお、単位時間は１分に限らず適宜変更可能である。
【０１１４】
（変形例１３）
活動量として歩数が用いられる場合、活動量表示モードとして歩数表示モードが用いられ、６時情報表示部４には、歩数表示モードを示す歩数表示エリアが設けられ、１０時情報表示部３には、所定のレンジ内で歩数の変化を表示するための歩数メーターが設けられることが好ましい。
【０１１５】
制御部１０６は、表示モードが歩数表示モードである場合、駆動部２０５を制御して第１表示針４２で６時情報表示部４の歩数表示エリアを指示して、表示モードが歩数表示モードであることを表示する。
また、制御部１０６は、歩数表示モード下でボタン１５の押下を検知すると、加速度センサーを動作させ加速度センサーの出力からユーザーの歩数を特定する。続いて、制御部１０６は、駆動部２０４を制御して、歩数の特定結果を２時情報表示部７に表示させる。
続いて、制御部１０６は、駆動部２０３を制御して、歩数メーターにおいて、新たに特定された歩数が前回特定された歩数から変化した量を示す箇所を、秒針３１で表示させる。
【０１１６】
（変形例１４）
活動量としてピッチが用いられる場合、活動量表示モードとしてピッチ表示モードが用いられ、６時情報表示部４には、ピッチ表示モードを示すピッチ表示エリアが設けられ、１０時情報表示部３には、所定のレンジ内でピッチの変化を表示するためのピッチメーターが設けられることが好ましい。
【０１１７】
制御部１０６は、表示モードがピッチ表示モードである場合、駆動部２０５を制御して第１表示針４２で６時情報表示部４のピッチ表示エリアを指示して、表示モードがピッチ表示モードであることを表示する。
また、制御部１０６は、ピッチ表示モード下でボタン１５の押下を検知すると、所定時間（例えば１分間）加速度センサーを動作させ加速度センサーの出力からユーザーの１分間の歩数、すなわちピッチを特定する。続いて、制御部１０６は、駆動部２０４を制御して、ピッチの特定結果を２時情報表示部７に表示させる。
続いて、制御部１０６は、駆動部２０３を制御して、ピッチメーターにおいて、新たに特定されたピッチが前回特定されたピッチから変化した量を示す箇所を、秒針３１で表示させる。
【０１１８】
（変形例１５）
活動量として消費カロリーが用いられる場合、活動量表示モードとして消費カロリー表示モードが用いられ、６時情報表示部４には、消費カロリー表示モードを示す消費カロリー表示エリアが設けられ、１０時情報表示部３には、所定のレンジ内で消費カロリーの変化を表示するための消費カロリーメーターが設けられることが好ましい。
【０１１９】
制御部１０６は、表示モードが消費カロリー表示モードである場合、駆動部２０５を制御して第１表示針４２で６時情報表示部４の消費カロリー表示エリアを指示して、表示モードが消費カロリー表示モードであることを表示する。
また、制御部１０６は、消費カロリー表示モード下でボタン１５の押下を検知すると、加速度センサーを動作させ加速度センサーの出力からユーザーの歩数を特定する。制御部１０６は、歩数を特定するごとに、その歩数に対して、予め登録されたユーザーの体重に関連した体重係数を乗算することで消費カロリーを算出する。続いて、制御部１０６は、駆動部２０４を制御して、消費カロリーの算出結果を２時情報表示部７に表示させる。
続いて、制御部１０６は、駆動部２０３を制御して、消費カロリーメーターにおいて、新たに算出された消費カロリーが前回算出された消費カロリーから変化した量を示す箇所を、秒針３１で表示させる。
【０１２０】
なお、制御部１０６は、歩数に対して、予め登録されたユーザーの体重に関連した体重係数と、予め登録されたユーザーの身長に関連した身長係数と、予め登録されたユーザーの性別に関連した性別係数と、予め登録されたユーザーの年齢に関連した年齢係数と、を乗算することで消費カロリーを算出してもよい。なお、消費カロリーの算出手法は公知技術であるため、その詳細な説明を割愛する。
【０１２１】
（変形例１６）
第１計測値として移動距離が用いられ、第１表示モードとして移動距離表示モードが用いられてもよい。
【０１２２】
この場合、６時情報表示部４には、移動距離表示モードを示す移動距離表示エリアが設けられ、１０時情報表示部３には、所定のレンジ内で移動距離の変化を表示するための移動距離メーターが設けられることが好ましい。
【０１２３】
制御部１０６は、表示モードが移動距離表示モードである場合、駆動部２０５を制御して第１表示針４２で６時情報表示部４の移動距離表示エリアを指示して、表示モードが移動距離表示モードであることを表示する。
また、制御部１０６は、移動距離表示モード下でボタン１５の押下を検知すると、ボタン１５が押下された地点（以下「押下地点」と称する）の位置をＧＰＳで算出する。制御部１０６は、押下地点の位置を算出するごとに、今回の押下地点の位置から前回の押下地点の位置までの距離を移動距離として算出する。続いて、制御部１０６は、駆動部２０４を制御して、移動距離の算出結果を２時情報表示部７に表示させる。
続いて、制御部１０６は、駆動部２０３を制御して、移動距離メーターにおいて、新たに算出された移動距離が前回算出された移動距離から変化した量を示す箇所を、秒針３１で表示させる。
【０１２４】
（変形例１７）
第１計測値として移動スピードが用いられ、第１表示モードとして移動スピード表示モードが用いられてもよい。
【０１２５】
この場合、６時情報表示部４には、移動スピード表示モードを示す移動スピード表示エリアが設けられ、１０時情報表示部３には、所定のレンジ内で移動スピードの変化を表示するための移動スピードメーターが設けられることが好ましい。
【０１２６】
制御部１０６は、表示モードが移動スピード表示モードである場合、駆動部２０５を制御して第１表示針４２で６時情報表示部４の移動スピード表示エリアを指示して、表示モードが移動スピード表示モードであることを表示する。
また、制御部１０６は、移動スピード表示モード下でボタン１５の押下を検知すると、ボタン１５が押下された時刻（以下「押下時刻」と称する）を記憶するとともに、ボタン１５が押下された地点（押下地点）の位置をＧＰＳで算出する。制御部１０６は、押下時刻を記憶し押下地点の位置を算出するごとに、前回の押下時刻から今回の押下時刻までの経過時間を算出するとともに、今回の押下地点の位置から前回の押下地点の位置までの距離を移動距離として算出し、移動距離を経過時間で除算することで、移動スピードを算出する。続いて、制御部１０６は、駆動部２０４を制御して、移動スピードの算出結果を２時情報表示部７に表示させる。
続いて、制御部１０６は、駆動部２０３を制御して、移動スピードメーターにおいて、新たに算出された移動スピードが前回算出された移動スピードから変化した量を示す箇所を、秒針３１で表示させる。
【０１２７】
（変形例１８）
第１計測値として、所定距離の移動に要した時間（以下「ラップ」と称する）が用いられ、第１表示モードとしてラップ表示モードが用いられてもよい。
【０１２８】
この場合、６時情報表示部４には、ラップ表示モードを示すラップ表示エリアが設けられ、１０時情報表示部３には、所定のレンジ内でラップの変化を表示するためのラップメーターが設けられることが好ましい。
【０１２９】
制御部１０６は、表示モードがラップ表示モードである場合、駆動部２０５を制御して第１表示針４２で６時情報表示部４のラップ表示エリアを指示して、表示モードがラップ表示モードであることを表示する。
また、制御部１０６は、ラップ表示モード下でボタン１５の押下を検知すると、ボタン１５が押下された時刻（押下時刻）を記憶する。制御部１０６は、押下時刻を記憶するごとに、前回の押下時刻から今回の押下時刻までの経過時間をラップとして算出する。続いて、制御部１０６は、駆動部２０４を制御して、ラップの算出結果を２時情報表示部７に表示させる。
続いて、制御部１０６は、駆動部２０３を制御して、ラップメーターにおいて、新たに算出されたラップが前回算出されたラップから変化した量を示す箇所を、秒針３１で表示させる。
【０１３０】
なお、以下のようなラップが用いられてもよい。
制御部１０６は、ラップ表示モード下でボタン１５の押下を検知すると、押下時刻を記憶するとともに、ボタン１５が押下された地点（押下地点）の位置をＧＰＳで算出する。制御部１０６は、押下時刻を記憶し押下地点の位置を算出するごとに、前回の押下時刻から今回の押下時刻までの経過時間を算出するとともに、今回の押下地点の位置から前回の押下地点の位置までの距離を移動距離として算出し、経過時間を移動距離で除算した値をラップとして算出する。続いて、制御部１０６は、駆動部２０４を制御して、ラップの算出結果を２時情報表示部７に表示させる。
続いて、制御部１０６は、駆動部２０３を制御して、ラップメーターにおいて、新たに算出されたラップが前回算出されたラップから変化した量を示す箇所を、秒針３１で表示させる。
【０１３１】
（変形例１９）
第１計測値として血圧が用いられ、第１表示モードとして血圧表示モードが用いられてもよい。
【０１３２】
この場合、電子時計Ｗに通信部１０３を介して血圧センサーが接続され、６時情報表示部４には、血圧表示モードを示す血圧表示エリアが設けられ、１０時情報表示部３には、所定のレンジ内で血圧の変化を表示するための血圧メーターが設けられることが好ましい。
【０１３３】
制御部１０６は、表示モードが血圧表示モードである場合、駆動部２０５を制御して第１表示針４２で６時情報表示部４の血圧表示エリアを指示して、表示モードが血圧表示モードであることを表示する。
また、制御部１０６は、血圧表示モード下でボタン１５の押下を検知すると、血圧センサーを動作させユーザーの血圧を特定する。続いて、制御部１０６は、駆動部２０４を制御して、血圧の特定結果を２時情報表示部７に表示させる。
続いて、制御部１０６は、駆動部２０３を制御して、血圧メーターにおいて、新たに特定された血圧が前回特定された血圧から変化した量を示す箇所を、秒針３１で表示させる。
【０１３４】
（変形例２０）
第１計測値として脈拍が用いられ、第１表示モードとして脈拍表示モードが用いられてもよい。
【０１３５】
この場合、電子時計Ｗに通信部１０３を介して脈拍センサーが接続され、６時情報表示部４には、脈拍表示モードを示す脈拍表示エリアが設けられ、１０時情報表示部３には、所定のレンジ内で脈拍の変化を表示するための脈拍メーターが設けられることが好ましい。
【０１３６】
制御部１０６は、表示モードが脈拍表示モードである場合、駆動部２０５を制御して第１表示針４２で６時情報表示部４の脈拍表示エリアを指示して、表示モードが脈拍表示モードであることを表示する。
また、制御部１０６は、脈拍表示モード下でボタン１５の押下を検知すると、脈拍センサーを動作させユーザーの脈拍を特定する。続いて、制御部１０６は、駆動部２０４を制御して、脈拍の特定結果を２時情報表示部７に表示させる。
続いて、制御部１０６は、駆動部２０３を制御して、脈拍メーターにおいて、新たに特定された脈拍が前回特定された脈拍から変化した量を示す箇所を、秒針３１で表示させる。
【０１３７】
（変形例２１）
第１計測値（例えば、気圧、高度、勾配、水深、温度、湿度、紫外線量、活動量、消費カロリー、歩数、ピッチ、移動距離、移動スピード、ラップ、血圧、または脈拍）の変化は、前回の第１計測値に対する今回の第１計測値の割合（例えば、前回に対して８０％または１１５％など）で表示されてもよい。
【０１３８】
（変形例２２）
上述した実施形態および変形例では、１０時情報表示部３は、新たに計測された第１計測値（例えば、気圧、高度、勾配、水深、温度、湿度、紫外線量、活動量、消費カロリー、歩数、ピッチ、移動距離、移動スピード、ラップ、血圧、または脈拍）が前回計測された第１計測値から変化した量を、秒針３１で表示した。
【０１３９】
しかしながら、新たに計測された第１計測値が前回計測された第１計測値から変化した量（第１計測値の変化）の代わりに、新たに計測された第１計測値（例えば、気圧、高度、勾配、水深、温度、湿度、紫外線量、活動量、消費カロリー、歩数、ピッチ、移動距離、移動スピード、ラップ、血圧、または脈拍）の基準値からの偏差（例えば、新たに計測された第１計測値が基準値に対してどれくらい離れているかを示す値）が用いられてもよい。ここで、偏差はプラス／マイナスの符号を含めて表示されることが望ましい。
【０１４０】
例えば、第１計測値として気圧が用いられた場合、１０時情報表示部３は、気圧傾向メーター３３において、新たに計測された気圧の基準値からの偏差を示す箇所を、秒針３１で表示する。
【０１４１】
基準値は、予め設定されてもよいし、予め設定された基準値が気圧表示モード下でボタン１３とボタン１４とボタン１５が同時に操作されることで修正されてもよい。修正前の基準値、または修正後の基準値は、目標値であってもよい。
【０１４２】
第１計測値が、高度、勾配、水深、温度、湿度、紫外線量、活動量、消費カロリー、歩数、ピッチ、移動距離、移動スピード、ラップ、血圧、または脈拍である場合も、第１計測値が気圧である場合に準じて、１０時情報表示部３は、新たに計測された第１計測値の基準値からの偏差を示す箇所を、秒針３１で表示する。
【０１４３】
なお、新たに計測された第１計測値の基準値からの偏差が予め定められた偏差量閾値よりも大きい場合、誤測定の可能性が高いため、１０時情報表示部３は、当該偏差の表示を行わなくてもよい。
【０１４４】
また、新たに計測された第１計測値が前回計測された第１計測値から変化した量が予め定められた変化量閾値よりも大きい場合、誤測定の可能性が高いため、１０時情報表示部３は、第１計測値の変化の表示を行わなくてもよい。
また、前記で例示した第１計測値の中には、数値（計測値）が１００の位の桁未満の桁の値で表されるものがある。例えば、大気の温度は５０℃以下である。活動量、歩数、移動距離などは、ゼロの値からスタートをして計測値がカウントアップされる。数値（計測値）が１００の位の桁未満の桁の値で表される計測モードを搭載する構成の場合には、２時情報表示部７による表示を行なわず、計測表示針１１を用いて第１計測値を表示してもよい。この場合には、計測表示針１１が第３指針の一例となる。あるいは、計測表示針７１および計測表示針７２の少なくとも１つを用いて、１００の位の桁未満の値を表示してもよい。
【符号の説明】
【０１４５】
Ｗ…電子時計、１…時針、２…分針、３…１０時情報表示部、３１…秒針、４…６時情報表示部、４１…第２表示針、４２…第１表示針、７…２時情報表示部、７１，７２…計測表示針、１０…時刻表示部。
【図１】
0006780292.tif 000002
【図２】
0006780292.tif 000003
【図３】
0006780292.tif 000004
【図４】
0006780292.tif 000005
【図５】
0006780292.tif 000006
【図６】
0006780292.tif 000007
【図７】
0006780292.tif 000008
【図８】
0006780292.tif 000009
【図９】
0006780292.tif 000010
【図１０】
0006780292.tif 000011
【図１１】
0006780292.tif 000012